(57)【特許請求の範囲】
【請求項１】
ヘッドチューブがブラケット装置を介して片開きアーム構造のフォークと連結されてなる片開きフォーク自転車において、
上記ヘッドチューブは、上管部材が当該上管部材より径小の下管部材に摺動自在に外嵌されてなり、
上記フォークは、上フォーク部材が当該上フォーク部材より径大の下フォーク部材に摺動自在に挿入されてなり、
上記ブラケット装置には、並列した２張出座よりなる第１、第２のブラケット部材が設けられ、
上記上管部材は、上記第１のブラケット部材の一端に固定されると共に、上記上フォーク部材は、上記第１のブラケット部材の他端に固定され、
上記下管部材は、上記第２のブラケット部材の一端に固定されると共に、上記下フォーク部材は、上記第２のブラケット部材の他端に固定されることを特徴とする片開きフォーク自転車。
【請求項２】
さらに、第１の緩衝装置と第２の緩衝装置とが設けられ、
上記第１の緩衝装置は、上記ヘッドチューブ内に設けられ、当該第１の緩衝装置の一端が上記下管部材内に固定されると共に、他端が上記上管部材内に固定され、
上記第２の緩衝装置は、上記フォーク内に設けられ、当該第２の緩衝装置の一端が上記上フォーク部材内に固定されると共に、他端が上記下フォーク部材内に固定されることを特徴とする請求項１に記載の片開きフォーク自転車。
【請求項３】
上記第１のブラケット部材の上記一端及び上記他端それぞれに、第１と第２の孔が開けられていることを特徴とする請求項１に記載の片開きフォーク自転車。
【請求項４】
上記第２のブラケット部材の上記一端及び上記他端それぞれに、第３と第４の孔が開けられていることを特徴とする請求項１に記載の片開きフォーク自転車。
【発明の詳細な説明】
【０００１】
【発明の属する技術分野】
本発明は、片開きフォーク自転車に関し、特に緩衝装置付片開きフォーク自転車に関する。
【０００２】
【従来の技術】
自転車は、現在最もクリーンで空間を取らない交通道具として広く利用されている。そして、前輪を着脱自在にして保修する手間を省く観点から、片開きフォーク自転車が開発された。例えば台湾実用新案出願第８６２１９４３２号や、日本実用新案登録第３０７０５８３号などに開示されているものがある。
【０００３】
図５は、上記前者の片開きフォーク自転車前輪部付近だけを概略示す破断側面図である。自転車車体２００において、ヘッドチューブ２１０が、上下並列した上ブラケット４１０と下ブラケット４２０を介して、先方へ伸びて片アーム構造のフォーク３００が保持されてなり、上記フォーク３００の適当な部位に長手沿いに緩衝装置３３０が介設され、該緩衝装置３３０が、２ロッドで互いに一端で枢接したリンクロッド５００によって長手方向沿いの伸縮を所定範囲に規制するように構成される。
【０００４】
図６は、上記後者の片開きフォークが取付けられた自転車における緩衝装置の局部縦断して概略を示す正面図である。図６に示す如く、自転車の車体１０は、ヘッドチューブ１１を直交方向へ突設したブラケット１３を介して、片開きアーム構造のフォーク１２と連結させてなり、車軸１５が一端がフォーク１２下端に取付けられた軸座１６に片持ち嵌挿されて他端が車輪（前輪）１９のハブ１７を貫通して設けられ、車軸１５の他端にナット１８を螺定して組立てられる。また、上記フォーク１２は上管部材が該上管部材よりやや径大の下管部材に嵌入され、コイルばねによる緩衝装置１２５が両端側それぞれをフォーク１２の上記上、下管部材内周壁に固定されてあり、そして上管部材の周壁下端に貫通して外周方向へ突出螺植されたボルト２５１、２５１が、下管部材上端側周壁の長手沿いスロット２５２、２５２内で移動することにより、捩れることなくフォーク１２全体が長手沿いに規制されて伸縮するように構成される。
【０００５】
上記の従来の構成により、自転車が走行中路面の凹凸により生じる振動は、長手沿いに規制して伸縮する上記緩衝装置３３０、１２５によって衝撃を低減し緩和させることができ、横向きのずれが生じず、横転する恐れがすくない。そして、ナット（１８）を緩めて車軸（１５）から外すと、簡単に前輪２２０、１９を取り外して保修をすることができる。
【０００６】
しかしながら、上記緩衝装置において、前者３３０は、リンクロッド機構を利用しているので、構造的に複雑で、保修するのに手間がかかる。後者１２５では、管周壁にスロットを開けたり、ボルトを貫設したりすることにより、フォークの管体の機械強度が損なわれるという問題点がある。
【０００７】
【発明が解決しようとする課題】
本発明は、上記課題に鑑みてなされたもので、さらに保修が簡単で、スロットを設けることをなくして車体の機械強度を損わせない緩衝装置付片開きフォーク自転車を提供することを目的とする。
【０００８】
【課題を解決するための手段】
本発明によれば、片開きフォーク自転車は、ヘッドチューブがブラケット装置を介して片開きアーム構造のフォークと連結されてなり、
上記ヘッドチューブは、上管部材が当該上管部材より径小の下管部材に外嵌されてなり、
上記フォークは、上フォーク部材が当該上フォーク部材より径大の下フォーク部材に挿入してなり、
上記ブラケット装置には、並列した２張出座よりなる第１、第２のブラケット部材が設けられ、
上記上管部材は、上記第１のブラケット部材の一端に設けられると共に、上記上フォーク部材は、上記第１のブラケット部材の他端に設けられ、
上記下管部材は、上記第２のブラケット部材の一端に設けられると共に、上記下フォーク部材は、上記第２のブラケット部材の他端に設けられることを特徴とする。
【０００９】
上記片開きフォーク自転車において、さらに、第１の緩衝装置と第２の緩衝装置とが設けられ、上記第１の緩衝装置は、上記ヘッドチューブ内に設けられ、当該第１の緩衝装置の一端が上記下管部材内に固定されると共に、他端が上記上管部材内に固定され、上記第２の緩衝装置は、上記フォーク内に設けられ、当該第２の緩衝装置の一端が上記上フォーク部材内に固定されると共に、他端が上記下フォーク部材内に固定される。
【００１０】
上記構成によれば、上管部材が下管部材を外嵌してなる抜差し管式のヘッドチューブが、並列した２張出座よりなるブラケット装置を介して、上フォーク部材が下フォーク部材に挿嵌されてなる抜差し管式の片開きアーム型フォークと連結して、片開きフォーク自転車が構成されることによって、手軽に前輪の着脱や保修をすることができる。また、ヘッドチューブや片開きフォーク内に緩衝装置を装着することによって、チューブやフォークの管体強度を保ちつつ振動緩衝効果の向上が期待される。ヘッドチューブと片開きアーム型フォークとが上記ブラケット装置を介して連結されることによって、ヘッドチューブやフォークの管体が周りに移動して捩れることなく上下の直線運動をすることができるので、自転車のコントロールを向上させる。
【００１１】
【発明の実施の形態】
図１は、本発明の一実施の形態の片開きフォーク自転車の要部概略を示す破断正面図、図２は、同図１の側面図である。図示の如く、本実施形態の自転車の前輪部１は、ヘッドチューブ２が、下端部の上下に並列した第１、２の張出座４１、４２によりなるブラケット装置４を介して、片開きアーム構造のフォーク３を保持してなる。上記フォーク３の下端には垂直に挿設した軸座３４が車輪（前輪）７の輪軸３５を軸受保持して末端にボルトなどの固定手段によって螺着される。
【００１２】
上記ヘッドチューブ２は、図３に示されているように、上管部材２１が該上管部材２１よりやや径小の下管部材２２を滑り嵌合し、上記上管部材２１の下端が上記第１の張出座４２の一端に開けられた孔４２１に嵌挿固持されると共に、上記下管部材２２の下端が該第２の張出座４１の一端に開けられた孔４１１に嵌挿固持される。なお、上記上管部材２１と上記下管部材２２との嵌合隙間にちりなどが入れないようにリングシールなどを装着するとよい。
【００１３】
上記片開きアーム構造のフォーク３は、同図示の如く、上フォーク部材３１が該上フォーク部材３１よりやや径大の下フォーク部材３２に滑り嵌合してなり、上記上フォーク部材３１の上端は上記第１の張出座４２の他端に開けられた孔４２３に嵌挿固持されると共に、上記下フォーク部材３２の上端は上記第２の張出座４１の他端に開けられた孔４１３に嵌挿固持される。そして、上記上フォーク部材３１と上記下フォーク部材３２との嵌合隙間にもちりなどが入れないようにリングシールなどを装着することができる。
【００１４】
また、図４の縦断面図の如く、上記ヘッドチューブ２内に第１の緩衝装置５が装着されている。当該第１の緩衝装置５は、例えばコイルばね５０が、上方の固結端部を上記上管部材２１の内周の適当な箇所に固設されると共に、自由に伸びた状態でばね５０の下方の可動端部が上記下管部材２２の上端に固設される。
【００１５】
そして、上記片開きアーム構造のフォーク３内に第２の緩衝装置６が装着されてある。当該第２の緩衝装置６も、例えばコイルばね６０が、上方の可動端部を上記上フォーク部材３１の下端に固設されると共に、自由に伸びた状態で下方の固結端部が上記下フォーク部材３２の内周の適当な箇所に固設される。
【００１６】
上記構成によれば、自転車が走行中何かの上下振動を受けると、上記第１、２の緩衝装置５、６は、この例においては、各ばね５０、６０が圧縮されることにより、上記第１、第２の緩衝装置５、６が縮んだり、続いた各ばね５０、６０の反発により、上記第１、第２緩衝装置５、６は伸びたりして、相対運動をし振動を緩和する。もちろん、上記緩衝手段の配置は、上記例に限らないことはいうまでもない。
【００１７】
また、ヘッドチューブ２及び片開きアーム型フォーク３は、ブラケット装置４を介して連結されてなることによって、捩れることなく直線滑動をすることができるので、振動の際、管軸沿いに伸縮することによって緩衝し、勝手に捩れることはないので、自転車のコントロールがしやすい。
【００１８】
【発明の効果】
上記のように、本発明は、抜差し管式の上管部材が下管部材を外嵌してなるヘッドチューブが、直列した２張出座のブラケット装置を介して、同じく抜差し管式の上フォーク部材が下フォーク部材と挿嵌してなる片開きアーム型フォークと連結して、片開きフォーク自転車が構成されることによって、手軽に前輪の着脱や保修することができる。また、ヘッドチューブや片開きフォーク内に緩衝装置を装着することによって、チューブやフォークの管体強度を保ちつつ振動緩衝効果が向上する。ヘッドチューブと片開きアーム型のフォークとが２張出座のブラケット装置を介して連結されることによって、ヘッドチューブやフォークの管体が捩れることなく上下の直線運動をすることができるので、自転車のコントロールが向上する。
【図面の簡単な説明】
【図１】本発明の実施の形態の片開きフォーク型自転車の前輪部を概略示す正面図。
【図２】同図１の側面図。
【図３】図１の一部構成を省略した分解正断面図。
【図４】図１の正断面図。
【図５】従来の片開きフォーク型自転車の前輪部概略側面図。
【図６】従来の他の片開きフォーク型自転車の前輪部の概略を示す部分断面正面図。
【符号の説明】
１  自転車の車体
２  ヘッドチューブ
２１、２２  上、下管部材
３  フォーク
３１、３２  上、下フォーク部材
３４  軸座
３５  輪軸
４  ブラケット装置
４１、４２  第２、１の張出座（ブラケット部材）
４１１、４１３、４２１、４２３  孔
５、６  第１、２の緩衝装置
５０、６０  コイルばね
【図１】
0003723181.tif 000002
【図２】
0003723181.tif 000003
【図３】
0003723181.tif 000004
【図４】
0003723181.tif 000005
【図５】
0003723181.tif 000006
【図６】
0003723181.tif 000007